(57)【要約】【課題】建築用電動シャッターの操作具を、ガイドレールに設ける構成としながら、操作性のよいものにする。【解決手段】操作具７を、シャッターカーテン２のカーテン面に直交状に配される躯体壁材１２に沿うようガイドレール４に支持されるベースプレート１３と、該ベースプレート１３に開設された切欠き孔１３ａに設けられる作動プレート１５と、該作動プレート１５の内側面１５ａに設けられるスイッチ部１６とにより構成し、前記作動プレート１５を、ベースプレート１３の切欠き孔１３ａを閉鎖し、スイッチ部１６が躯体の凹部Ｓに収納される収納姿勢と、作動プレート１５がベースプレート１３の切欠き孔１３ａを開放し、外部に露出するスイッチ部１６の操作方向がシャッターカーテン２のカーテン面に向かう方向となる操作姿勢とに変姿するように構成する。【選択図】図２
2010127017.tif 000002
【特許請求の範囲】
【請求項１】
操作具の操作に基づく開閉機の駆動制御により、躯体開口部に設けたシャッターカーテンが開口部両側に立設されたガイドレールに沿って開閉作動するよう構成された建築用電動シャッター装置において、前記操作具を、シャッターカーテンのカーテン面に直交状に配される躯体面に沿って支持されるベースプレートと、該ベースプレートに開設された切欠き孔に設けられる作動プレートと、該作動プレートの内側に設けられる操作部とにより構成し、前記作動プレートは、ベースプレートの切欠き孔を閉鎖し、操作部を躯体面に形成される凹部に収納する収納姿勢と、作動プレートの少なくとも一部が外部に突出し、外部に露出する操作部の操作方向がシャッターカーテンのカーテン面に向かう方向となる操作姿勢とに変姿するように構成されている建築用電動シャッター装置における操作具。
【請求項２】
ベースプレートは、ガイドレールに支持されている請求項１に記載の建築用電動シャッター装置における操作具。
【請求項３】
ベースプレートは、内側面に凹部側に突出する連結部材が設けられ、該連結部材が、ガイドレールに設けられ、ガイド溝の溝幅方向一方に突出する取付け部材に一体化されている請求項２に記載の建築用電動シャッター装置における操作具。
【請求項４】
操作具は、作動プレートを収納姿勢と操作姿勢とに保持する保持手段がそれぞれ設けられている請求項１乃至３の何れか１項に記載の建築用電動シャッター装置における操作具。
【請求項５】
作動プレートは、ベースプレートに対して揺動自在に設けられるものとし、作動プレートの操作姿勢を保持する保持手段はガイドレールにより構成されている請求項４に記載の建築用電動シャッター装置における操作具。
【請求項６】
作動プレートは、ベースプレートに対して揺動自在に設けられるものとし、作動プレートの操作姿勢を保持する保持手段はベースプレートの切欠き孔の孔縁により構成されている請求項４に記載の建築用電動シャッター装置における操作具。
【発明の詳細な説明】
【技術分野】
【０００１】
本発明は、建築物の出入り口部や、広い空間を仕切るように設けられる建築用電動シャッター装置における操作具の技術分野に属するものである。
【背景技術】
【０００２】
一般に、開口部を開閉するシャッターカーテンを備えた建築用電動シャッター装置は、開口部近傍の躯体に設けられる操作具を操作することにより開閉機が駆動してシャッターカーテンの開閉作動がなされるように構成されている。このようなものでは、操作具の設置位置が躯体側になるため、配線等の作業が面倒になるという問題があるばかりでなく、躯体側の工事との関係で配設位置の変更を余儀なくされることがあり、このようになると、コストが嵩んだり工事期間が延長されるという問題がある。
【０００３】
この改善策として、手動操作具を、ガイドレールのガイド溝を構成する溝側片の開口部側の面であって、ガイドレールを溝開口側を正面としたときの見付け面に組込むように構成して、躯体側の工事に係わることなく手動操作具を設けられるようにしたものが提唱されている。
【特許文献１】特開２００８−１４４４４８号公報
【発明の開示】
【発明が解決しようとする課題】
【０００４】
ところで、前記従来の手動操作具はガイドレールの見付け面に設けられ、押し操作される操作部（スイッチカバー）が外部に露出する状態で設けられており、手動操作具を操作しようとした場合、その操作方向がシャッターカーテンのカーテン面に平行となる方向であるため、シャッターカーテンの開閉軌跡の近傍で、しかも、シャッターカーテンのカーテン面に対して横向きの姿勢で操作することになって操作性がよいものではない。しかしながら、前記手動操作具は、火災等の異常時において、開口部を開放しているシャッターカーテンを閉鎖するための操作具であって、日常的に操作されるものではないうえ、操作者は手動操作具を操作してから直ちにシャッター装置から離れるような動作がなされるので、操作性の不具合の問題はない。これに対し、操作具をシャッターカーテンの開閉操作するためのものとした場合、操作具の操作は日常的になされるものとなるため、操作性のよい操作具とすることが求められるうえ、操作具の取付け位置がシャッターカーテンの開閉軌跡に近付き過ぎることは好ましくない。このため、開閉操作用の操作具を躯体への配線等を考慮せずに設けようとする場合に、前記従来の構成の手動操作具に換えて前記操作具をそのまま設けることはできず、ここに本発明の解決すべき課題がある。
【課題を解決するための手段】
【０００５】
本発明は、上記の如き実情に鑑みこれらの課題を解決することを目的として創作されたものであって、請求項１の発明は、操作具の操作に基づく開閉機の駆動制御により、躯体開口部に設けたシャッターカーテンが開口部両側に立設されたガイドレールに沿って開閉作動するよう構成された建築用電動シャッター装置において、前記操作具を、シャッターカーテンのカーテン面に直交状に配される躯体面に沿って支持されるベースプレートと、該ベースプレートに開設された切欠き孔に設けられる作動プレートと、該作動プレートの内側に設けられる操作部とにより構成し、前記作動プレートは、ベースプレートの切欠き孔を閉鎖し、操作部を躯体面に形成される凹部に収納する収納姿勢と、作動プレートの少なくとも一部が外部に突出し、外部に露出する操作部の操作方向がシャッターカーテンのカーテン面に向かう方向となる操作姿勢とに変姿するように構成されている建築用電動シャッター装置における操作具である。
請求項２の発明は、ベースプレートは、ガイドレールに支持されている請求項１に記載の建築用電動シャッター装置における操作具である。
請求項３の発明は、ベースプレートは、内側面に凹部側に突出する連結部材が設けられ、該連結部材が、ガイドレールに設けられ、ガイド溝の溝幅方向一方に突出する取付け部材に一体化されている請求項２に記載の建築用電動シャッター装置における操作具である。
請求項４の発明は、操作具は、作動プレートを収納姿勢と操作姿勢とに保持する保持手段がそれぞれ設けられている請求項１乃至３の何れか１項に記載の建築用電動シャッター装置における操作具である。
請求項５の発明は、作動プレートは、ベースプレートに対して揺動自在に設けられるものとし、作動プレートの操作姿勢を保持する保持手段はガイドレールにより構成されている請求項４に記載の建築用電動シャッター装置における操作具である。
請求項６の発明は、作動プレートは、ベースプレートに対して揺動自在に設けられるものとし、作動プレートの操作姿勢を保持する保持手段はベースプレートの切欠き孔の孔縁により構成されている請求項４に記載の建築用電動シャッター装置における操作具である。
【発明の効果】
【０００６】
請求項１の発明とすることにより、操作具の操作が不要なときは操作部を収納できて、悪戯等を防止できるうえ、操作性に優れ、シャッターカーテンの閉鎖軌跡に近付くことなく操作できる。
請求項２の発明とすることにより、シャッターカーテン近傍に設けられて配線が容易にできるものでありながら、操作性に優れた操作具とすることができる。
請求項３の発明とすることにより、操作具がシャッターカーテンに近付きすぎることがなく、操作性が改善する。
請求項４の発明とすることにより、悪戯の防止が図れ、しかも、安定した操作部の操作ができて、操作性のさらなる向上が図れる。
請求項５の発明とすることにより、保持手段となる部材を格別設けることなく操作姿勢を保持できて、構成の簡略化が図れる。
請求項６の発明とすることにより、保持手段となる部材を格別設けることなく操作姿勢を保持できて、構成の簡略化が図れるうえ、配設場所に制限がなくなって設計の自由度が向上する。
【発明を実施するための最良の形態】
【０００７】
つぎに、本発明の実施の形態について、図面に基づいて説明する。
図面において、１は通路、出入り口等の躯体に形成される開口部Ｈに建付けられる建築用電動式のシャッター装置であって、該シャッター装置１を構成するシャッターカーテン２は、開口部Ｈ上方に配される図示しない巻取りドラムに巻装されており、開口部Ｈ上方の開閉機３の正逆駆動に基づいて巻取りドラムが正逆回転することにより、シャッターカーテン２が巻取り、巻出しされるように構成されている。これによって、シャッターカーテン２は、左右両側部が開口部Ｈの左右両側に立設されたガイドレール４のガイド溝４ａに移動案内される状態で開口部Ｈを上下動し、開口部Ｈを開放する全開姿勢と開口部Ｈを閉鎖する全閉姿勢との間を開閉作動するように構成されており、これらの構成は何れも従来通りとなっている。
【０００８】
前記開閉機３は、減速機５ａ付きの電動モータ５、シャッターカーテン２の閉鎖作動を制動する図示しないブレーキ装置等、各種部材装置を備えて構成されている。
さらに、開閉機３には必要な配線がなされたシャッター制御盤３ａが設けられており、該シャッター制御盤３ａに、シャッターカーテン２の開閉制御をするための制御部６が接続されている。そして、制御部６には、後述する操作具７の開放、閉鎖、停止用スイッチＰＢＵ、ＰＢＤ、ＰＢＳからの信号、開閉機３に設けられシャッターカーテン２の全閉姿勢、全開姿勢を検知するリミットスイッチ８からの信号、シャッターカーテン２の下端部に設けられる障害物検知スイッチ９からの信号等、必要なスイッチ類やセンサ類からの信号が入力されるように構成されており、制御部６は、これら入力された信号に基づいて対応する駆動指令をシャッター制御盤３ａに対して出力するように構成されている。
【０００９】
そして、制御部６は、操作具７に設けられる開放、または、閉鎖スイッチＰＢＵ、ＰＢＤのスイッチ操作がなされて対応する信号の入力がなされることに伴い、シャッター制御盤３ａ（開閉機３）に対しブレーキ装置の制動解除指令を出力するとともに、電動モータ５の開放、または、閉鎖駆動指令を出力してシャッターカーテン２を開、または、閉作動せしめるように構成されている。一方、停止スイッチＰＢＳのスイッチ操作がなされて停止信号の入力がなされると、制御部６は、シャッター制御盤３ａ（開閉機３）に対し電動モータ５の駆動停止指令を出力するとともに、ブレーキ装置の制動指令を出力してシャッターカーテン２を停止作動せしめる等の通常の開閉作動制御を行うように構成されており、これらの制御構成は何れも従来通りである。
尚、障害物検知スイッチ９は、シャッターカーテン２の最下端に設けられる座板２ａに配される所謂座板スイッチで構成されており、座板２ａが障害物に当接して上動することに基づいてスイッチ切換えがなされ、障害物検知信号を出力するように構成されている。そして、障害物検知スイッチ９から引出されるリード線９ａは、開口部上方に取付けられたコードリール９ｂに巻取り方向に付勢される状態で巻装されており、シャッターカーテン２の開閉作動に合わせてリード線９ａが巻取り、巻出しされるように構成されている。
【００１０】
さて、前記操作具７は、本実施の形態では、左右一対のガイドレール４のうちの一側方のガイドレール４であって、本実施の形態では図１において、図面向かって右側のガイドレール４の、出入り方向一方であって、本実施の形態では、図１において手前側に隣接して設けられている。
前記ガイドレール４は、躯体に形成された凹部Ｓに適宜手段を用いて固定される断面コ字形状の下地材１０に組込まれている。前記下地材１０は、凹部Ｓ溝底側の底片１０ａと、出入り方向（ガイド溝の溝幅方向）一対の側片１０ｂ、１０ｃとにより構成されている。そして、ガイドレール４は、下地材１０の底片１０ａに沿う溝底片４ｂと、下地材側片１０ｂ、１０ｃに対向する一対の溝側片４ｃ、４ｄとにより、躯体開口部Ｈ側が開口するガイド溝４ａが形成されている。さらに、一対の溝側片４ｂ、４ｃの溝開口側の端縁部には、それぞれ離間する方向に延出する見付け片４ｅ、４ｆが形成され、これら見付け片４ｅ、４ｆの延出端部には、溝底片４ｂ側に延出し、下地材１０の各側片１０ｂ、１０ｃの外側面にそれぞれ積層状に折返される折返し片４ｇ、４ｈが形成されている。そして、ガイドレール４の出入り方向一方の溝側片４ｄに対向する下地材１０の側片１０ｃの上下方向中間部には、操作具７を支持するためのＬ字形に形成されたアングル材１１の固定片部１１ａが一体的に固定され、シャッターカーテン２のカーテン面に直交するプレート面を有した取付け片部１１ｂが、下地材１０（ガイドレール４）から出入り方向一方側（ガイド溝４ａの溝幅方向一方側）に向けて突出配設されている。
【００１１】
ここで、ガイドレール４が固定される躯体の凹部Ｓは、ガイドレール４を埋設する状態となるよう、凹部Ｓの開口側において壁材１２が配されており、該壁材１２は、シャッターカーテン２のカーテン面に直交する方向の躯体面を構成している。前記壁材１２の配設位置は、ガイドレール４の見付け片４ｅ、４ｆより溝底側に位置するように設定されており、壁材１２が見付け片４ｅ、４ｆに対して段差状となる位置関係となっている。さらに、ガイドレール４の出入り方向一方側の壁材１２には、前記アングル材の取付け片部１１ｂに対向する部位に位置して操作具７配設用の切欠き孔１２ａが開設されるが、該切欠き孔１２ａは、壁材１２をガイドレール４（下地材１０）側から切欠かれることにより、上下方向に長い四角形状に形成されている。
【００１２】
一方、前記操作具７は、上下方向長尺の四角形状に形成された金属製板材で構成されるベースプレート１３を備えて構成されており、該ベースプレート１３は、壁材１２の切欠き孔１２ａを塞ぐように設けられ、プレート面がシャッターカーテン２のカーテン面に直交する方向となっている。前記ベースプレート１３には、前記壁材１２の切欠き孔１２ａに連通する切欠き孔１３ａが、出入り方向他方側（ガイドレール４側）に偏寄して開設されているとともに、ベースプレート１３の躯体凹部Ｓ側を向く内側の面（内側面）１３ｂには、コ字状に折曲形成された連結部材１４が設けられている。前記連結部材１４は、上下に対向する一対の脚片１４ａと、凹部Ｓの溝底側に位置して一対の脚片１４ａ同士を連結する連結片１４ｂとにより構成されており、上下の脚片１４ａの端部をベースプレート内側面１３ｂの切欠き孔１３ａの上下の孔縁に突当て状に固定することにより、連結片１４ｂが凹部Ｓ側に突出してアングル材１１の取付け片部１１ｂに対向するように構成されている。そして、前記連結片１４ｂとアングル材１１の取付け片部１１ｂとを上下一対の螺子１４ｃを用いて固定することにより、ベースプレート１３がガイドレール４に支持されるように構成されている。
ここで、ベースプレート１３は、内側面１３ｂの三方の外周縁部が壁材１２の切欠き孔１２ａの孔縁に押し当てられる状態で固定されるように設定されており、その取付けは、連結部材１４の連結片１４ｂに形成された貫通孔１４ｄに切欠き孔１３ａ側から螺子１４ｃを貫通させ、該螺子１４ｃの貫通先端部を取付け片部１１ｂに形成される螺子孔１１ｃに緊締する構成となっており、このように取付けることにより、ベースプレート１３を壁材１２に密着状に固定することが可能となる。そして、ベースプレート１３の取付け状態において、ベースプレート１３は、ガイドレール４の見付け片４ｅ、４ｆよりも凹部Ｓ側（ガイド溝４ａの溝奥側）に位置するように設定されている。
【００１３】
１５はベースプレート１３の切欠き孔１３ａに設けられる作動プレートであって、該作動プレート１５は、切欠き孔１３ａを閉鎖（覆蓋）することができる大きさに形成された金属性板材で構成されており、躯体凹部Ｓ側の面となる内側の面（内側面）１５ａには、押し操作することで対応する信号を出力する開放、閉鎖、停止用スイッチＰＢＵ、ＰＢＤ、ＰＢＳが設けられたスイッチ部（本発明の操作部に相当する）１６の上下端部が螺子１６ａにより螺着されている。前記スイッチ部１６は、各スイッチＰＢＵ、ＰＢＤ、ＰＢＳの操作方向（押し方向）が作動プレート１５側に向かう方向になるように設けられており、スイッチ部１６からは各スイッチＰＢＵ、ＰＢＤ、ＰＢＳの信号を制御部６に接続するためのリード線１６ｂが引出されている。
そして、作動プレート１５は、ベースプレート１３の切欠き孔１３ａに対して揺動自在となるよう、切欠き孔１３ａの上下の孔端面と、作動プレート１５の上下の端面との板厚内同士において支持される上下一対の枢軸１５ｂを介してベースプレート１３に連結されているが、前記枢軸１５ｂの配設位置は、出入り方向中央位置よりも他方側（ガイドレール４側）に偏寄しており、作動プレート１５の出入り方向一方側の端部が戸先側端部となって、凹部Ｓ内を出没する揺動がなされるように構成されている。
【００１４】
このように構成された作動プレート１５は、前記枢軸１５ｂを介して揺動し、スイッチ部１６が設けられない躯体開口部Ｈ側を向く外側の面（外側面）１５ｃが、ベースプレート１３の外側の面（外側面）１３ｃと面一状となる収納姿勢になることにより、作動プレート内側面１５ａに配されたスイッチ部１６が躯体凹部Ｓに収納され、かつ、ベースプレート１３の切欠き孔１３ａを閉鎖することにより作動プレート１５がスイッチ部１６を覆蓋して外部に露出させることがないように構成されている。そして、作動プレート１５が収納姿勢に変姿した場合では、ベースプレート１３に配される連結部材１４の上側脚片１４ａに支持されたマグネットキャッチ１７が、作動プレート１５の内側面１５ａ上部に磁着することにより、収納姿勢が保持されるように構成されている。
そして、マグネットキャッチ１７による収納姿勢が保持された作動プレート１５は、マグネットキャッチ１７との磁着部である外側面１５ｃの「押」と表示される部位を躯体側（凹部Ｓ側）に押しやって、作動プレート１５の戸先側部位を凹部Ｓ内に没入するように操作することで、マグネットキャッチ１７の磁着力から解放されるとともに、開口部Ｈ側に突出するマグネットキャッチ１７のアーム部１７ａにより開口部Ｈ側に押し出されるように揺動して、ベースプレート１３の切欠き孔１３ａを開放する（切欠き孔１３ａから離れる）ように構成されており、この状態が、操作者が作動プレート１５を自由に揺動変姿させることができる変姿可能状態に構成されている。
【００１５】
さらに、作動プレート１５の内側面１５ａには、スイッチ部１６の下方から凹部Ｓ側に向けて突出する錠受けプレート１８が固定されており、前記作動プレート１５の収納姿勢で、錠受けプレート１８とベースプレート１３に配される連結部材１４の下側脚片１４ａとが近接対向するように構成されている。一方、ベースプレート１３の下側脚片１４ａ固定部の下方には、作動プレート１５を収納姿勢に施錠する施錠具１９が設けられている。
前記施錠具１９は、ベースプレート１３に貫通状に設けられる錠操作部１９ａと、ベースプレート１３の内側に設けられ、図示しないキーにより錠操作部１９ａを操作することに伴い施錠姿勢と解錠姿勢とに変姿する施錠片１９ｂとにより構成されている。そして、作動プレート１５の収納姿勢において、錠操作部１９ａを施錠操作して施錠片１９ｂを上方に向く施錠姿勢とすることにより、施錠片１９ｂがベースプレート１３の下側脚片１４ａと作動プレート１５の錠受けプレート１８とに連通状に開設された貫通孔１８ａ、１４ｅに嵌入するように構成されている。この状態となると、作動プレート１５とベースプレート１３とが一体化して、作動プレート１５は、揺動変姿が可能な変姿可能状態になることを規制される施錠状態となるように構成されている。また、前記施錠状態において、錠操作部１９ａを解錠操作して施錠片１９ｂを出入り方向を向く解錠姿勢とすることにより、施錠片１９ｂが前記貫通孔１８ａ、１４ｅから抜出すように構成されており、この状態になると、作動プレート１５とベースプレート１３との一体化が解除され、作動プレート１５は、変姿可能状態になることを許容される解錠状態となるように構成されている。これによって、施錠具１９の施錠状態では、作動プレート１５の「押」表示部位を押し操作して、作動プレート１５の上部がマグネットキャッチ１７のアーム部１７ａにより開口部Ｈ側に押しやられても、作動プレート１５が変姿可能状態となることはなく、これによって、悪戯等によりスイッチ部１６が外部に露出して操作され、シャッターカーテン２が不用意に開閉作動してしまうような不具合を確実に防止できるように構成されている。
【００１６】
そして、このものにおいて、施錠具１９を解錠状態とし、かつ、作動プレート１５の「押」表示部位を操作して、マグネットキャッチ１７による収納姿勢の保持を解除した場合では、アーム部１７ａにより開口部Ｈ側に押し出された作動プレート１５の戸先側端部を把持して開口部Ｈ側に向けてさらに揺動させることにより、作動プレート１５は、外側面１５ｃがベースプレート１３よりも開口部Ｈ側に位置し、ガイドレール４の出入り方向他方側の見付け片４ｆと折返し片４ｈとにより構成されるコーナー部Ｒに当接する操作姿勢に変姿するように構成されている。そして、この状態において、作動プレート１５は、ベースプレート１３に対して９０度を越える揺動がなされた状態となっているとともに、コーナー部Ｒに当接することで開口部Ｈ側への揺動が規制されるが、このとき、スイッチ部１６は、各スイッチＰＢＵ、ＰＢＤ、ＰＢＳが出入り方向一方を向く姿勢となるとともに、各スイッチＰＢＵ、ＰＢＤ、ＰＢＳの操作方向がシャッターカーテン２のカーテン面に向かう方向となるように構成されている。これによって、スイッチ部１６の各スイッチＰＢＵ、ＰＢＤ、ＰＢＳを押し操作したときに、その操作方向（押し方向）が、ガイドレール４のコーナー部Ｒを押しやる方向であって、作動プレート１５が揺動規制される方向となるように構成されている。この結果、スイッチ部１６を押し操作しても作動プレート１５が揺動してしまうようなことがなく、操作姿勢が保持されるように構成されており、該構成が操作姿勢における保持手段に相当している。そして、操作具７の操作姿勢では、安定したスイッチ部１６の操作ができ、しかも、シャッターカーテン２を開閉操作をする場合に、操作者がシャッターカーテン２に向かう姿勢でスイッチ部１６の操作をすることができて、操作性が向上するように構成されている。
ここで、作動プレート１５の操作姿勢は、収納姿勢に対し９０度〜１１５度の揺動がなされた状態であることが好ましい。
【００１７】
前記操作姿勢の作動プレート１５を収納姿勢とする場合では、作動プレート１５を躯体凹部Ｓ側に押しやって、「押」表示部分を切欠き部１３ａ凹部Ｓ内に没入するよう押しやって、マグネットキャッチ１７のアーム部１７ａを退避させることで、作動プレート１５がマグネットキャッチ１７に磁着され、スイッチ部１６が凹部Ｓに収納される収納姿勢に保持されるように構成されている。
そして、このものにおいて、スイッチ部１６から引出されたリード線１６ｂは、操作具７の取付け部に隣接する下地材１０の出入り方向一方の側片１０ｃに開設された貫通孔１０ｄを介し、ガイドレール４の出入り方向一方の側片４ｄと下地材側片１０ｃとの間に形成される空隙部に引出され、該空隙部内を上方に引回されて開口部Ｈ上方に配設される制御部６に接続されるように構成され、これによって、操作具７を設けるのに必要なリード線１６ｂの配線をガイドレール４内において行うことができて、シャッター装置１の工事が躯体側の工事に係わることを最小限にできるように構成されている。
【００１８】
叙述の如く構成された本発明の実施の形態において、シャッターカーテン２は、躯体開口部Ｈの側部に立設されるガイドレール４の近傍に設けられる操作具７を操作することにより開閉作動がなされるが、この場合に、作動プレート１５は、操作部であるスイッチ部１６を躯体凹部Ｓに収納して作動プレート１５により覆蓋する収納姿勢と、スイッチ部１６を外部に露出する操作姿勢とに変姿するので、操作具７を操作しないときには収納できて、悪戯等による誤操作、誤作動を防止できる。また、操作具７を操作するべく作動プレート１５を操作姿勢とした場合では、スイッチ部１６の各スイッチＰＢＵ、ＰＢＤ、ＰＢＳが出入り方向一方を向き、各スイッチＰＢＵ、ＰＢＤ、ＰＢＳの操作方向がシャッターカーテン２のカーテン面に向かう方向となるので、ガイドレール４近傍に設けられて、シャッターカーテン２に近い場所で操作するものでありながら、シャッターカーテン２に向かう姿勢で操作することができて、操作性に優れるばかりでなく、シャッターカーテン２の閉鎖軌跡に近付くことなく操作できるという利点がある。
【００１９】
このように、本発明が実施されたものにあっては、操作具７のスイッチ部１６を収納姿勢と、操作性よく操作できる操作姿勢とに変姿することができるものであるが、このものでは、操作具７をガイドレール４に支持されるように構成したので、従来の躯体側に設けるもののように、配線のための工事等、操作具の取付け工事が躯体工事に係わらないようにすることができ、そのうえ、シャッターカーテン２近傍に設けられるものでありながら、操作性のよい操作具７とすることができる。
【００２０】
そのうえ、このものでは、操作具７をガイドレール４の溝幅方向（出入り方向）一方に隣接した部位に設けることができ、シャッターカーテン２に近付きすぎることがなく、操作性の改善を図ることができる。
【００２１】
さらに、このものでは、作動プレート１５が収納姿勢に保持されるので、操作具７を操作するとき以外は、スイッチ部１６を躯体凹部Ｓに収納して作動プレート１５により覆蓋した状態に保持されるので、スイッチ部１６が悪戯されて不用意にシャッターカーテン２が開閉作動してしまうようなことを防止できる。また、作動プレート１５が操作姿勢に保持されるので、各スイッチＰＢＵ、ＰＢＤ、ＰＢＳを押し操作しても、作動プレート１５が揺動してしまうようなことがなく、安定した操作を行うことができる。
【００２２】
しかも、作動プレート１５を操作姿勢に保持する保持手段としてガイドレール４の出入り方向一方の見付け片４ｆと折返し片４ｈとのコーナー部Ｒを用いる構成としたので、保持手段となる部材を格別設けることなく操作姿勢を保持することができて、構成の簡略化を図ることができる。
【００２３】
尚、本発明は、前記実施の形態に限定されないことは勿論であって、作動プレートは、ベースプレートに対して開口部側にスライド変位自在に設ける構成としてもよく、この構成では、操作具を作動プレートの内側面に設ける場合では、操作部の操作面（各スイッチの配設面）がシャッターカーテンが配設される方向とは逆の方向を向くように設けることで、各スイッチの押し方向がカーテン面に向かう方向となる。
【００２４】
さらに、図６に示す第二の実施の形態のようにすることもできる。
前記第二の実施の形態の操作具２０は、基本構成については前記第一の実施の形態と同様であり、同様の構成部材については同様の符号を付すことにより説明を省略する。第二の実施の形態では、ベースプレート２１と、該ベースプレート２１の切欠き孔２１ａに設けられる作動プレート２２とが揺動自在に連結されるが、その揺動支軸２３による枢支位置は、第一の実施の形態のように各プレートの板厚内に設けられるのではなく、躯体凹部側に偏寄して設けられている。即ち、ベースプレート２１の内側面２１ｂにはコ字状に折曲形成される連結部材２４が設けられる一方、作動プレート２２の内側面２２ａには、スイッチ部１６の配設部の下方に位置して設けられる錠受けプレート２５とともに、スイッチ部１６の配設部の上方に位置して支持用プレート２６が設けられている。そして、連結部材２４の上側脚片２４ａと支持用プレート２６、連結部材２４の下側脚片２４ａと錠受けプレート２５とが、それぞれ揺動支軸２３を介して連結することにより、前述したように、ベースプレート２１と作動プレート２２との枢支位置が躯体凹部側に偏寄した状態で連結されるように構成されている。
【００２５】
そして、このものでは、作動プレート２２の収納姿勢では、作動プレート２２の外側面２２ｂがベースプレート２１の外側面２１ｃと面一状となって、作動プレート２２がベースプレート２１の切欠き孔２１ａを閉鎖し、躯体凹部に収納されるスイッチ部１６が作動プレート２２により覆蓋される状態となる。これに対し、作動プレート２２の操作姿勢では、スイッチ部１６を外部に露出して各スイッチＰＢＵ、ＰＢＤ、ＰＢＳの操作ができるが、揺動支軸２３が凹部Ｓ溝奥側に偏寄しているため、図６（Ｄ）に示すように、該操作姿勢をスイッチ部１６の操作方向において揺動規制して姿勢保持する保持手段を、ベースプレート２１の切欠き孔２１ａの孔縁Ｔにより構成することができる。これによって、前記第一の実施の形態のように、作動プレートの操作姿勢を保持する保持手段をガイドレールのコーナー部とすることができないような場合、例えば、操作具２０を構成するベースプレート２１をガイドレールの見付け片と同位置に設ける場合や、アングル材の取付け片を出入り方向に長く持ち出して、操作具２０をガイドレールから離れた位置に設けるような場合であっても、作動プレート２２の操作姿勢を保持する保持手段を別途設けることのない簡単な構成の操作具２０とすることができる。これによって、操作具２０の配設位置の制限がなくなって、設計の自由度が向上する。
【００２６】
さらに、操作具は、前記第一、第二の実施の形態のように構成したものをボックス体に収納するように構成してもよく、この場合では、ガイドレールにボックス体を固定し、該ボックス体に対して、ベースプレートに固定される連結部材の連結片を固定することで、操作具がガイドレールに固定される。そして、ボックス体の要、不要は、設置現場の躯体に形成されるガイドレールの取付け箇所（躯体凹部）の状態に応じて適宜選択することができる。
尚、前記第二の実施の形態のように形成した場合では、ガイドレールの見付け片に切欠き孔を設け、該切欠き孔に操作具を設け、操作具の操作部を、ガイドレールと下地材との間に形成される空隙部に収納する構成としてもよい。
【図面の簡単な説明】
【００２７】
【図１】シャッター装置の概略斜視図である。
【図２】要部の平面断面図である。
【図３】図３（Ａ）、（Ｂ）はそれぞれ操作具の操作姿勢における正面図、側面図である。
【図４】図４（Ａ）、（Ｂ）、（Ｃ）はそれぞれ操作具の側面図、正面図、側面図である。
【図５】図５（Ａ）は作動プレートの作用を説明する図４（Ａ）のＸ−Ｘ断面図、図５（Ｂ）は操作具の平面図である。
【図６】図６（Ａ）、（Ｂ）、（Ｃ）はそれぞれ第二の実施の形態の操作具の側面図、正面図、側面図、図６（Ｄ）は作動プレートの作用を説明する図６（Ａ）のＸ−Ｘ断面図である。
【符号の説明】
【００２８】
１    シャッター装置
２    シャッターカーテン
３    開閉機
４    ガイドレール
４ｆ    見付け片
４ｈ    折返し片
７    操作具
１０    下地材
１１    アングル材
１１ｂ    取付け片部
１２    壁材
１３    ベースプレート
１３ａ    切欠き孔
１３ｂ    内側面
１４    連結部材
１４ｂ    連結片
１５    作動プレート
１５ａ    内側面
１６    スイッチ部
１７    マグネットキャッチ
１９    施錠具
【図１】
2010127017.tif 000003
【図２】
2010127017.tif 000004
【図３】
2010127017.tif 000005
【図４】
2010127017.tif 000006
【図５】
2010127017.tif 000007
【図６】
2010127017.tif 000008